(57)【要約】【課題】送信機の特性測定の簡素化および測定環境の小型化を図る。【解決手段】本発明に係る測定装置１は、任意の波形、振幅および周波数を有するデジタル音声信号を生成する信号発生部１１と、信号発生部１１により生成されたデジタル音声信号に基づく試験信号の送信機２への入力に応じて、送信機２から出力された信号が直交復調された直交復調データに基づき、特性測定を行い、測定結果を出力する測定処理部１６とを備え、信号発生部１１および測定処理部１６が同じコンピュータ２０上に実装され、信号発生部１１が生成するデジタル音声信号、および、特性測定の測定条件が、測定装置１にネットワーク４を介して接続された制御装置３により制御可能である。【選択図】図１
2020061711.tif 000002
【特許請求の範囲】
【請求項１】
ＦＭ変調された信号またはＡＭ変調された信号を出力する送信機の特性測定を行う測定装置であって、
任意の波形、振幅および周波数を有するデジタル音声信号を生成する信号発生部と、
前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、
前記信号発生部および前記測定処理部が、同じコンピュータ上に実装されており、
前記信号発生部が生成するデジタル音声信号、および、前記特性測定の測定条件が、前記測定装置にネットワークを介して接続された制御装置により制御可能であることを特徴とする測定装置。
【請求項２】
請求項１に記載の測定装置において、
前記送信機は、ＦＭ変調された信号を出力するＦＭ送信機であり、
前記測定処理部は、
前記直交復調データをＩ軸信号とＱ軸信号とに分離するＩＱ分離部と、
前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、
前記ＦＭ復調部によるＦＭ復調により得られたＦＭ復調信号から周波数偏移量を計算し、該計算した周波数偏移量を前記測定結果として出力する周波数偏移量計算部と、を備えることを特徴とする測定装置。
【請求項３】
請求項１に記載の測定装置において、
前記送信機は、ＦＭ変調された信号を出力するＦＭ送信機であり、
前記ＦＭ送信機は、前記試験信号に対するステレオ変調を行った後、前記ＦＭ変調を行い、
前記測定処理部は、
前記直交復調データをＩ軸信号とＱ軸信号とに分離するＩＱ分離部と、
前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、
前記ＦＭ復調部によるＦＭ復調により得られたＦＭ復調信号に対してステレオ復調を行い、測定音声信号を取得するステレオ復調部と、
前記ステレオ復調部により取得された測定音声信号の音声レベル、および、前記測定音声信号から前記試験信号に相当する基準信号を減算したノイズ成分の二乗平均平方根と、前記基準信号との比である第１の全高調波歪率の少なくとも一方を計算し、前記測定結果として出力する第１の計算部と、を備えることを特徴とする測定装置。
【請求項４】
請求項３に記載の測定装置において、
前記ＦＭ送信機は、前記ステレオ変調により、前記試験信号を、パイロット信号と、ステレオ音声の左音声信号と右音声信号との和信号と、前記左音声信号と前記右音声信号との差信号に基づき、前記パイロット信号の２倍の周波数の副搬送波を変調した信号とを重畳した信号に変換し、
前記測定処理部は、前記ＦＭ復調信号に対するダウンサンプリング処理を行う第１のリサンプリング部と、
前記第１のリサンプリング部によるダウンサンプリング処理後の信号に対して、ポリフェーズフィルタ処理を行い、所定周波数よりも高周波成分を除去する第１のポリフェーズフィルタ部と、
前記第１のポリフェーズフィルタ部によるポリフェーズフィルタ処理後の信号から前記パイロット信号を検出するパイロット信号検出部と、
前記第１のポリフェーズフィルタ部によるポリフェーズフィルタ処理後の信号から、前記パイロット信号検出部により検出されたパイロット信号を除去するパイロット信号除去部と、
前記パイロット信号検出部により検出されたパイロット信号と振幅および位相が同期し、前記パイロット信号の周波数の２倍の周波数のステレオ復調用信号を生成するステレオ復調用信号生成部と、
前記パイロット信号除去部によるパイロット信号の除去後の信号に対するダウンサンプリング処理を行う第２のリサンプリング部と、
前記第２のリサンプリング部によるダウンサンプリング処理後の信号に対して、ポリフェーズフィルタ処理を行い、所定周波数よりも高周波成分を除去する第２のポリフェーズフィルタ部と、をさらに備え、
前記ステレオ復調部は、前記第２のポリフェーズフィルタ部によるポリフェーズフィルタ処理後の信号に対して、前記ステレオ復調用信号生成部により生成されたステレオ復調用信号を用いてステレオ復調を行うことを特徴とする測定装置。
【請求項５】
請求項４に記載の測定装置において、
前記ステレオ復調部は、前記ＦＭ復調信号として前記左音声信号と前記右音声信号とを取得し、
前記左音声信号の音声レベルと前記右音声信号の音声レベルとの差であるステレオ左右分離度を計算し、該計算したステレオ左右分離度を前記測定結果として出力することを特徴とする測定装置。
【請求項６】
請求項１に記載の測定装置において、
前記送信機は、ＦＭ変調された信号を出力するＦＭ送信機であり、
前記測定処理部は、
前記直交復調データをＩ軸信号とＱ軸信号とに分離するＩＱ分離部と、
前記ＩＱ分離部により分離されたＩ軸信号およびＱ軸信号の絶対値を計算する絶対値計算により振幅データを取得する振幅変換部と、
前記振幅変換部により取得された振幅データからキャリア成分を計算するキャリア成分計算部と、
前記振幅変換部により取得された振幅データから、前記キャリア成分計算部により計算されたキャリア成分を除去したＡＭ復調信号を取得するキャリア成分除去部と、
前記キャリア成分除去部により取得されたＡＭ復調信号の信号レベルを計算する信号レベル計算部と、
前記キャリア成分計算部により計算されたキャリア成分のレベルと、前記信号レベル計算部により計算された前記ＡＭ復調信号の信号レベルとに基づき、残留振幅変調雑音を計算し、該計算した残留振幅変調雑音を前記測定結果として出力する残留振幅変調雑音計算部と、をさらに備えることを特徴とする測定装置。
【請求項７】
請求項１に記載の測定装置において、
前記送信機は、ＡＭ変調された信号を出力するＡＭ送信機であり、
前記測定処理部は、
前記直交復調データをＩ軸信号とＱ軸信号とに分離するＩＱ分離部と、
前記ＩＱ分離部により分離されたＩ軸信号およびＱ軸信号の絶対値を計算する絶対値計算により振幅データを取得する振幅変換部と、
前記振幅変換部により取得された振幅データからキャリア成分を計算するキャリア成分計算部と、
前記振幅変換部により取得された振幅データから、前記キャリア成分計算部により計算されたキャリア成分を除去したＡＭ復調信号を取得するキャリア成分除去部と、
前記キャリア成分除去部により取得されたＡＭ復調信号の音声レベル、および、前記ＡＭ復調信号から前記試験信号に相当する基準信号を減算したノイズ成分の二乗平均平方根と、前記基準信号との比である第２の全高調波歪率の少なくとも一方を計算し、前記測定結果として出力する第２の計算部と、を備えることを特徴とする測定装置。
【請求項８】
請求項１から７のいずれか一項に記載の測定装置において、
前記試験信号を設定するための試験信号設定画面、および、前記測定結果を示す測定結果画面の少なくとも一方を表示部に表示することを特徴とする測定装置。
【請求項９】
ＦＭ変調された信号またはＡＭ変調された信号を出力する送信機の特性測定を行うためのプログラムであって、コンピュータに、
任意の波形、振幅および周波数を有するデジタル音声信号を生成する処理と、
前記生成されたデジタル音声信号に基づく試験信号の前記送信機への入力に応じて、前記送信機から出力された信号が直交復調された直交復調データに基づき、前記特性測定を行い、測定結果を出力する処理と、を実行させ、
前記デジタル音声信号、および、前記特性測定の測定条件が、前記コンピュータにネットワークを介して接続された制御装置により制御可能であるプログラム。
【請求項１０】
ＦＭ変調された信号またはＡＭ変調された信号を出力する送信機の特性測定を行う測定装置と、前記測定装置とネットワークを介して接続された制御装置とを備え、
前記測定装置は、
任意の波形、振幅および周波数を有するデジタル音声信号を生成する信号発生部と、
前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、
前記信号発生部および前記測定処理部が、同じコンピュータ上に実装されており、
前記制御装置は、
前記デジタル音声信号、および、前記特性測定の測定条件を制御可能であることを特徴とする測定システム。
【請求項１１】
請求項１０に記載の測定システムにおいて、
前記制御装置は、前記測定装置の測定結果が正常であるか、異常であるかを判定することを特徴とする測定システム。
【発明の詳細な説明】
【技術分野】
【０００１】
本発明は、送信機の特性測定を行う測定装置、プログラムおよび測定システムに関する。
【背景技術】
【０００２】
ＦＭ（Ｆｒｅｑｕｅｎｃｙ  Ｍｏｄｕｌａｔｉｏｎ）変調された信号を出力するＦＭ送信機には、所定の期間毎に点検（特性測定）を行い、報告することが法令（電波法および無線設備規則など）により義務付けられている。従来、ＦＭ送信機の特性測定は、信号発生器、直線検波器、ステレオ復調器などの複数の機器を用いて行うのが一般的であった（例えば、非特許文献１参照）。
【先行技術文献】
【非特許文献】
【０００３】
【非特許文献１】「最新の放送技術−カラーテレビ・ＵＨＦテレビ・ＦＭ放送−」， p.420-432，付録３  ステレオ放送の送信設備特性測定方法，昭和４３年１１月２５日
【発明の概要】
【発明が解決しようとする課題】
【０００４】
上述したように、従来、ＦＭ送信機の特性測定には、複数の機器が用いられていた。そのため、特性測定の際には、各機器の操作に加えて、機器間の接続変更などを行う必要があり、特性測定の作業の煩雑化を招いていた。また、特性測定に用いられる機器には、大型・高重量のものが多く、ＦＭ送信機毎に測定環境を構築するには、機器の運搬や設置が困難であった。
【０００５】
本発明の目的は、上述した課題を解決し、送信機の特性測定の簡素化および測定環境の小型化を図ることができる測定装置、プログラムおよび測定システムを提供することにある。
【課題を解決するための手段】
【０００６】
上記課題を解決するため、本発明に係る測定装置は、ＦＭ変調された信号またはＡＭ（Ａｍｐｌｉｔｕｄｅ  Ｍｏｄｕｌａｔｉｏｎ）変調された信号を出力する送信機の特性測定を行う測定装置であって、任意の波形、振幅および周波数を有するデジタル音声信号を生成する信号発生部と、前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、前記信号発生部および前記測定処理部が、同じコンピュータ上に実装されており、前記信号発生部が生成するデジタル音声信号、および、前記特性測定の測定条件が、前記測定装置にネットワークを介して接続された制御装置により制御可能である。
【０００７】
また、本発明に係る測定装置において、前記送信機は、ＦＭ変調された信号を出力するＦＭ送信機であり、前記測定処理部は、前記直交復調データをＩ軸信号とＱ軸信号とに分離するＩＱ分離部と、前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、前記ＦＭ復調部によるＦＭ復調により得られたＦＭ復調信号から周波数偏移量を計算し、該計算した周波数偏移量を前記測定結果として出力する周波数偏移量計算部と、を備えることが好ましい。
【０００８】
また、本発明に係る測定装置において、前記送信機は、ＦＭ変調された信号を出力するＦＭ送信機であり、前記ＦＭ送信機は、前記試験信号に対するステレオ変調を行った後、前記ＦＭ変調を行い、前記測定処理部は、前記直交復調データをＩ軸信号とＱ軸信号とに分離するＩＱ分離部と、前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、前記ＦＭ復調部によるＦＭ復調により得られたＦＭ復調信号に対してステレオ復調を行い、測定音声信号を取得するステレオ復調部と、前記ステレオ復調部により取得された測定音声信号の音声レベル、および、前記測定音声信号から前記試験信号に相当する基準信号を減算したノイズ成分の二乗平均平方根（ＲＭＳ：Ｒｏｏｔ  Ｍｅａｎ  Ｓｑｕａｒｅ）と、前記基準信号との比である第１の全高調波歪率（ＴＨＤ＋Ｎ（Ｔｏｔａｌ  Ｈａｒｍｏｎｉｃ  Ｄｉｓｔｏｒｔｉｏｎ  ｐｌｕｓ  Ｎｏｉｓｅ））の少なくとも一方を計算し、前記測定結果として出力する第１の計算部と、を備えることが好ましい。
【０００９】
また、本発明に係る測定装置において、前記ＦＭ送信機は、前記ステレオ変調により、前記試験信号を、パイロット信号と、ステレオ音声の左音声信号と右音声信号との和信号と、前記左音声信号と前記右音声信号との差信号に基づき、前記パイロット信号の２倍の周波数の副搬送波を変調した信号とを重畳した信号に変換し、前記測定処理部は、前記ＦＭ復調信号に対するダウンサンプリング処理を行う第１のリサンプリング部と、前記第１のリサンプリング部によるダウンサンプリング処理後の信号に対して、ポリフェーズフィルタ処理を行い、所定周波数よりも高周波成分を除去する第１のポリフェーズフィルタ部と、前記第１のポリフェーズフィルタ部によるポリフェーズフィルタ処理後の信号から前記パイロット信号を検出するパイロット信号検出部と、前記第１のポリフェーズフィルタ部によるポリフェーズフィルタ処理後の信号から、前記パイロット信号検出部により検出されたパイロット信号を除去するパイロット信号除去部と、前記パイロット信号検出部により検出されたパイロット信号と振幅および位相が同期し、前記パイロット信号の周波数の２倍の周波数のステレオ復調用信号を生成するステレオ復調用信号生成部と、前記パイロット信号除去部によるパイロット信号の除去後の信号に対するダウンサンプリング処理を行う第２のリサンプリング部と、前記第２のリサンプリング部によるダウンサンプリング処理後の信号に対して、ポリフェーズフィルタ処理を行い、所定周波数よりも高周波成分を除去する第２のポリフェーズフィルタ部と、をさらに備え、前記ステレオ復調部は、前記第２のポリフェーズフィルタ部によるポリフェーズフィルタ処理後の信号に対して、前記ステレオ復調用信号生成部により生成されたステレオ復調用信号を用いてステレオ復調を行うことが好ましい。
【００１０】
また、本発明に係る測定装置において、前記ステレオ復調部は、前記ＦＭ復調信号として前記左音声信号と前記右音声信号とを取得し、前記左音声信号の音声レベルと前記右音声信号の音声レベルとの差であるステレオ左右分離度を計算し、該計算したステレオ左右分離度を前記測定結果として出力することが好ましい。
【００１１】
また、本発明に係る測定装置において、前記送信機は、ＦＭ変調された信号を出力するＦＭ送信機であり、前記測定処理部は、前記直交復調データをＩ軸信号とＱ軸信号とに分離するＩＱ分離部と、前記ＩＱ分離部により分離されたＩ軸信号およびＱ軸信号の絶対値を計算する絶対値計算により振幅データを取得する振幅変換部と、前記振幅変換部により取得された振幅データからキャリア成分を計算するキャリア成分計算部と、前記振幅変換部により取得された振幅データから、前記キャリア成分計算部により計算されたキャリア成分を除去したＡＭ復調信号を取得するキャリア成分除去部と、前記キャリア成分除去部により取得されたＡＭ復調信号の信号レベルを計算する信号レベル計算部と、前記キャリア成分計算部により計算されたキャリア成分のレベルと、前記信号レベル計算部により計算された前記ＡＭ復調信号の信号レベルとに基づき、残留振幅変調雑音を計算し、該計算した残留振幅変調雑音を前記測定結果として出力する残留振幅変調雑音計算部と、をさらに備えることが好ましい。
【００１２】
また、本発明に係る測定装置において、前記送信機は、ＡＭ変調された信号を出力するＡＭ送信機であり、前記測定処理部は、前記直交復調データをＩ軸信号とＱ軸信号とに分離するＩＱ分離部と、前記ＩＱ分離部により分離されたＩ軸信号およびＱ軸信号の絶対値を計算する絶対値計算により振幅データを取得する振幅変換部と、前記振幅変換部により取得された振幅データからキャリア成分を計算するキャリア成分計算部と、前記振幅変換部により取得された振幅データから、前記キャリア成分計算部により計算されたキャリア成分を除去したＡＭ復調信号を取得するキャリア成分除去部と、前記キャリア成分除去部により取得されたＡＭ復調信号の音声レベル、および、前記ＡＭ復調信号から前記試験信号に相当する基準信号を減算したノイズ成分の二乗平均平方根と、前記基準信号との比である第２の全高調波歪率の少なくとも一方を計算し、前記測定結果として出力する第２の計算部と、を備えることが好ましい。
【００１３】
また、本発明に係る測定装置において、前記試験信号を設定するための試験信号設定画面、および、前記測定結果を示す測定結果画面の少なくとも一方を表示部に表示することが好ましい。
【００１４】
また、上記課題を解決するため、本発明に係るプログラムは、ＦＭ変調された信号またはＡＭ変調された信号を出力する送信機の特性測定を行うためのプログラムであって、コンピュータに、任意の波形、振幅および周波数を有するデジタル音声信号を生成する処理と、前記生成されたデジタル音声信号に基づく試験信号の前記送信機への入力に応じて、前記送信機から出力された信号が直交復調された直交復調データに基づき、前記特性測定を行い、測定結果を出力する処理と、を実行させ、前記デジタル音声信号、および、前記特性測定の測定条件が、前記コンピュータにネットワークを介して接続された制御装置により制御可能である。
【００１５】
また、上記課題を解決するため、本発明に係る測定システムは、ＦＭ変調された信号またはＡＭ変調された信号を出力する送信機の特性測定を行う測定装置と、前記測定装置とネットワークを介して接続された制御装置とを備え、前記測定装置は、任意の波形、振幅および周波数を有するデジタル音声信号を生成する信号発生部と、前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、前記信号発生部および前記測定処理部が、同じコンピュータ上に実装されており、前記制御装置は、前記デジタル音声信号、および、前記特性測定の測定条件を制御可能である。
【００１６】
また、本発明に係る測定システムにおいて、前記制御装置は、前記測定装置の測定結果が正常であるか、異常であるかを判定することが好ましい。
【発明の効果】
【００１７】
本発明に係る測定装置、プログラムおよび測定システムによれば、送信機の特性測定の簡素化および測定環境の小型化を図ることができる。
【図面の簡単な説明】
【００１８】
【図１】本発明の一実施形態に係る測定装置の構成例を示す機能ブロック図である。
【図２】図１に示す信号発生部の構成例を示す機能ブロック図である。
【図３】図１に示す測定処理部の構成例を示す機能ブロック図である。
【図４】図１に示す測定装置が表示する試験信号設定画面の一例を示す図である。
【図５】図１に示す測定装置が表示する測定結果画面の一例を示す図である。
【図６Ａ】図１に示す制御装置が表示するトップ画面の一例を示す図である。
【図６Ｂ】図１に示す制御装置が表示する測定機能選択画面の一例を示す図である。
【図６Ｃ】図１に示す制御装置が表示する測定結果表示画面の一例を示す図である。
【図６Ｄ】図１に示す制御装置が表示する測定機能選択画面の一例を示す図である。
【図６Ｅ】図１に示す制御装置が表示する測定項目選択画面の一例を示す図である。
【図６Ｆ】図１に示す制御装置が表示する測定結果確認画面の一例を示す図である。
【図６Ｇ】図１に示す制御装置が表示する監視条件設定画面の一例を示す図である。
【図６Ｈ】図１に示す制御装置が表示する装置管理画面の一例を示す図である。
【発明を実施するための形態】
【００１９】
以下、本発明の実施の形態について説明する。
【００２０】
図１は、本発明の一実施形態に係る測定装置１の構成例を示す機能ブロック図である。本実施形態に係る測定装置１は、ＦＭ送信機２の特性測定を行うための試験信号をＦＭ送信機２に入力し、試験信号の入力に応じてＦＭ送信機２から出力された信号により特性測定を行う。上述したように、ＦＭ送信機２の特性測定は法令により定められており、測定すべき種々の項目が定められている。本実施形態に係る測定装置１は、ＦＭ送信機２の特性測定で測定すべき種々の項目のうち、特に、周波数偏移量、復調音声レベル、全高調波歪率、残留振幅変調雑音およびステレオ左右分離度の少なくとも１つを測定する。
【００２１】
なお、周波数偏移量とは、ＦＭ変調による搬送波の周波数の無変調時からの変化分である。また、復調音声レベルとは、ＦＭ送信機２から出力された信号を復調して得られる音声信号のレベルである。また、全高調波歪率とは、ＦＭ送信機２に試験信号を入力した際に出力される信号を、ＦＭ復調、ステレオ復調することによって得られる測定音声信号から試験信号に相当する基準信号を減算したノイズ成分の二乗平均平方根と、基準信号との比をとったものである。また、残留振幅変調雑音とは、無変調時の搬送波に含まれる振幅変調雑音である。また、ステレオ左右分離度とは、ステレオ音声の左音声信号または右音声信号のいずれか一方をＦＭ送信機２に入力したときに、ＦＭ送信機２から出力される左音声信号の信号レベルと右音声信号の信号レベルとの差である。
【００２２】
図１に示す測定装置１は、信号発生部１１と、ＤＤ変換器１２と、ＤＡ変換器１３と、周波数コンバータ１４と、ソフトウェア受信機１５と、測定処理部１６とを備える。
【００２３】
信号発生部１１は、任意の波形、振幅および周波数を有するデジタル音声信号（ＷＡＶＥ（Ｗａｖｅｆｏｒｍ  Ａｕｄｉｏ  Ｆｉｌｅ  Ｆｏｒｍａｔ）音声信号）を生成し、ＤＤ変換器１２に出力する。
【００２４】
ＤＤ変換器１２は、信号発生部１１から出力されたＷＡＶＥ音声信号を、ＤＤ変換（デジタル−デジタル変換）により所定の方式の信号、具体的には、ＡＥＳ／ＥＢＵ（Ａｕｄｉｏ  Ｅｎｇｉｎｅｅｒｉｎｇ  Ｓｏｃｉｅｔｙ／Ｅｕｒｏｐｅａｎ  Ｂｒｏａｄｃａｓｔｉｎｇ  Ｕｎｉｏｎ）方式の信号に変換する。そして、ＤＤ変換器１２は、試験信号としてデジタル音声信号をＦＭ送信機２に入力する場合には、生成したＡＥＳ／ＥＢＵ信号をＦＭ送信機２に入力する。また、ＤＤ変換器１２は、試験信号としてアナログ音声信号をＦＭ送信機２に入力する場合には、生成したＡＥＳ／ＥＢＵ信号をＤＡ変換器１３に出力する。
【００２５】
ＤＡ変換器１３は、ＤＤ変換器１２から出力されたデジタル音声信号であるＡＥＳ／ＥＢＵ信号を、ＤＡ変換（デジタル−アナログ変換）によりアナログ音声信号に変換し、ＦＭ送信機２に入力する。
【００２６】
信号発生部１１、ＤＤ変換器１２およびＤＡ変換器１３は、特性測定を行うための試験信号を生成し、ＦＭ送信機２に入力する信号生成部１７を構成する。また、ＤＤ変換器１２およびＤＡ変換器１３は、信号発生部１１により生成されたデジタル音声信号（ＷＡＶＥ音声信号）を、ＤＤ変換により所定の方式のデジタル音声信号（ＡＥＳ／ＥＢＵ信号）に変換して試験信号としてＦＭ送信機２に入力する、または、ＤＤ変換器１２により生成されたデジタル音声信号をＤＡ変換してアナログ音声信号に変換し、試験信号としてＦＭ送信機２に入力する変換部１８を構成する。
【００２７】
周波数コンバータ１４は、信号生成部１７からの試験信号の入力に応じてＦＭ送信機２から出力された無線周波数帯のＲＦ信号を、中間周波数帯の信号である中間周波数信号に変換して、ソフトウェア受信機１５に出力する。
【００２８】
ソフトウェア受信機１５は、周波数コンバータ１４から出力された中間周波数信号から直交復調データを生成し、測定処理部１６に出力する。
【００２９】
測定処理部１６は、ソフトウェア受信機１５から出力された直交復調データ（ＦＭ送信機２から出力された信号が直交復調されたデータ）に対してデジタル信号処理を行うことにより、ＦＭ送信機２の特性測定を行う。具体的には、測定処理部１６は、周波数偏移量、復調音声レベル、全高調波歪率、残留振幅雑音およびステレオ左右分離度の少なくとも１つを測定する。そして、測定処理部１６は、測定結果を図１においては不図示の表示部に表示するなどして出力する。
【００３０】
周波数コンバータ１４、ソフトウェア受信機１５および測定処理部１６は、試験信号の入力に応じてＦＭ送信機２から出力される信号に基づき、ＦＭ送信機２の特性測定を行い、測定結果を出力する測定部１９を構成する。
【００３１】
上述したように、信号発生部１１は、任意の波形、振幅および周波数を有するデジタル音声信号（ＷＡＶＥ音声信号）を出力する。また、測定処理部１６は、直交復調データに対してデジタル信号処理を行うことにより、ＦＭ送信機２の特性測定を行う。このように、本実施形態においては、信号発生部１１および測定処理部１６はデジタル信号を処理対象とする。このようなデジタル信号を対象とする処理は、汎用的なコンピュータでも処理可能である。そのため、信号発生部１１および測定処理部１６の処理を規定したプログラム（ソフトウェア）を、汎用的なコンピュータ２０（例えば、ノート型のパーソナルコンピュータ）に実装することで、信号発生部１１および測定処理部１６の処理を汎用的なコンピュータ２０上で実行することができる。
【００３２】
したがって、本実施形態においては、信号発生部１１および測定処理部１６の処理を実行するためのプログラムが実装されたコンピュータ２０、ＤＤ変換器１２、ＤＡ変換器１３、周波数コンバータ１４およびソフトウェア受信機１５を用いることで、ＦＭ送信機２の特性測定を行うことができる。
【００３３】
そのため、従来のＦＭ送信機２の特性測定のように、信号発生器、直線検波器、ステレオ復調器などの機器を用いる必要が無い。したがって、各機器の操作、および、機器間の接続変更などの煩雑な作業を行う必要がなくなり、特性測定の簡素化を図ることができる。
【００３４】
また、ＤＤ変換器１２、ＤＡ変換器１３、周波数コンバータ１４およびソフトウェア受信機１５は一般に、市販の小型・軽量な装置で構成することができる。そのため、測定装置１は、例えば、汎用的なノート型のパーソナルコンピュータであるコンピュータ２０と、これらの小型・軽量な装置とで構成することができるので、測定環境の小型化を図ることができる。
【００３５】
次に、信号発生部１１および測定処理部１６の構成について説明する。なお、上述したように、ＤＤ変換器１２、ＤＡ変換器１３、周波数コンバータ１４およびソフトウェア受信機１５は、市販の装置で構成することができるため、説明を省略する。
【００３６】
まず、信号発生部１１の構成について説明する。図２は、信号発生部１１の構成例を示す機能ブロック図である。
【００３７】
図２に示す信号発生部１１は、波形選択部１０１と、振幅選択部１０２と、周波数選択部１０３と、ＷＡＶＥフォーマット音声データ生成部１０４とを備える。
【００３８】
波形選択部１０１は、例えば、後述する試験信号設定画面上で設定された試験信号の波形に対応する波形を選択し、ＷＡＶＥフォーマット音声データ生成部１０４に出力する。波形は、例えば、正弦波、方形波、三角波、ノコギリ波などから選択することができる。振幅選択部１０２は、例えば、後述する試験信号設定画面上で設定された試験信号の振幅に対応する振幅を選択し、ＷＡＶＥフォーマット音声データ生成部１０４に出力する。周波数選択部１０３は、例えば、後述する試験信号設定画面上で設定された試験信号の周波数に対応する周波数を選択し、ＷＡＶＥフォーマット音声データ生成部１０４に出力する。
【００３９】
ＷＡＶＥフォーマット音声データ生成部１０４は、波形選択部１０１により選択された波形、振幅選択部１０２により選択された振幅および周波数選択部１０３により選択された周波数を有するデジタル音声信号を生成し、ＷＡＶＥ音声信号としてＤＤ変換器１２に出力する。
【００４０】
次に、測定処理部１６の構成について説明する。図３は、測定処理部１６の構成例を示す機能ブロック図である。なお、ＦＭ送信機２は、試験信号に対するステレオ変調およびＦＭ変調を行う。ステレオ変調により、試験信号からステレオ複合信号（コンポジット信号）が生成される。コンポジット信号は、パイロット信号と、主チャンネル信号と、副チャンネル信号とを重畳した信号である。パイロット信号は、１９ｋＨｚの信号である。主チャンネル信号は、ステレオ音声の左音声信号と右音声信号との和信号である。副チャンネル信号は、３８ｋＨｚの副搬送波を左音声信号と右音声信号との差信号で変調した信号である。
【００４１】
図３に示す測定処理部１６は、ＩＱ分離部２０１と、ＲＦ変換部２０２と、ＦＭ復調部２０３と、アパーチャ補正部２０４，２０９と、周波数偏移量計算部２０５と、フィルタ部２０６と、リサンプリング部２０７，２１３，２２５と、ポリフェーズフィルタ部２０８，２１４と、パイロット信号検出部２１０と、パイロット信号除去部２１１と、３８ｋＨｚ信号生成部２１２と、ステレオ復調部２１５と、ディエンファシス部２１６と、ＦＭ音声信号データ生成部２１７と、ＦＭ音声レベル計算部２１８と、ＦＭ音声歪率計算部２１９と、振幅変換部２２０と、キャリア成分計算部２２１と、キャリア成分除去部２２２と、ＡＭ復調信号レベル計算部２２３と、残留振幅変調雑音計算部２２４と、ＨＰＦ（Ｈｉｇｈ  Ｐａｓｓ  Ｆｉｌｔｅｒ）部２２６と、遅延処理部２２７と、ＡＭ音声信号データ生成部２２８と、ＡＭ音声レベル計算部２２９と、ＡＭ音声歪率計算部２３０とを備える。
【００４２】
ＩＱ分離部２０１は、ソフトウェア受信機１５から出力された直交復調データを、Ｉ軸信号とＱ軸信号とに分離し、分離したＩ軸信号およびＱ軸信号をＲＦ変換部２０２、ＦＭ復調部２０３および振幅変換部２２０に出力する。
【００４３】
ＲＦ変換部２０２は、ＩＱ分離部２０１から出力されたＩ軸信号およびＱ軸信号に対する絶対値計算に基づき、ＲＦ信号データに変換する。
【００４４】
ＦＭ復調部２０３は、ＩＱ分離部２０１から出力されたＩ軸信号とＱ軸信号との偏角（Ａｒｃｔａｎ（Ｑ／Ｉ））を計算する偏角計算処理および計算した偏角を数値微分する数値微分処理を行うことで、Ｉ軸信号およびＱ軸信号のＦＭ復調を行う。偏角計算処理および数値微分処理によりＦＭ復調を行うことで、従来の直線検波器と同等以上の直線性を得ることができる。ＦＭ復調部２０３は、ＦＭ復調により得られたＦＭ復調信号をアパーチャ補正部２０４に出力する。
【００４５】
アパーチャ補正部２０４は、ＦＭ復調部２０３から出力されたＦＭ復調信号に対して、アパーチャ補正を行う。ＦＭ復調信号では、高周波帯域の信号が減衰することがある（アパーチャ効果）。アパーチャ補正部２０４は、高周波帯域における信号の減衰を補正するような補正（アパーチャ補正）を行う。アパーチャ補正部２０４は、アパーチャ補正後のＦＭ復調信号を周波数偏移量計算部２０５およびフィルタ部２０６に出力する。
【００４６】
周波数偏移量計算部２０５は、アパーチャ補正部２０４から出力された信号（アパーチャ補正後のＦＭ復調信号）から周波数偏移量を計算し、計算した周波数偏移量をＦＭ送信機２の特性測定の測定結果として出力する。
【００４７】
フィルタ部２０６は、アパーチャ補正部２０４から出力された信号（アパーチャ補正後のＦＭ復調信号）に対して、ＬＰＦ（Ｌｏｗ  Ｐａｓｓ  Ｆｉｌｔｅｒ）処理およびＨＰＦ処理を行い、処理後の信号をリサンプリング部２０７に出力する。
【００４８】
リサンプリング部２０７（第１のリサンプリング部）は、以降のブロックでの処理に適したデータにするため、フィルタ部２０６から出力された信号に対して、リサンプリング処理（ダウンサンプリング処理）を行い、リサンプリング処理後の信号をポリフェーズフィルタ部２０８に出力する。
【００４９】
ポリフェーズフィルタ部２０８（第１のポリフェーズフィルタ部）は、リサンプリング部２０７から出力された信号（リサンプリング部２０７によるリサンプリング処理後の信号）に対して、リサンプリング処理で生じたエイリアシング（折り返し信号）を除去するために、ポリフェーズフィルタ処理を行い、所定周波数よりも高周波成分を除去する（ＬＰＦ処理を行う）。
【００５０】
所定周波数よりも高周波成分を除去する場合、ＬＰＦを用いることも考えられる。しかしながら、ＬＰＦを用いてエイリアシングを除去する場合、複数段のＬＰＦを設ける必要がある。複数段のＬＰＦ処理は、処理負荷が大きいため、汎用的なコンピュータ２０上で実行しようとすると、コンピュータの処理能力が不足してしまう。一方、本実施形態のように、ＬＰＦ型のポリフェーズフィルタ処理を行うことで、ＬＰＦ一段あたりの処理負荷は約１／４に軽減する。そのため、汎用的なコンピュータ２０上でも測定処理部１６の処理を実行させることが可能となる。
【００５１】
ポリフェーズフィルタ部２０８は、ポリフェーズフィルタ処理後の信号をアパーチャ補正部２０９に出力する。
【００５２】
アパーチャ補正部２０９は、ポリフェーズフィルタ部２０８から出力された信号に対して、アパーチャ補正を行う。リサンプリング部２０７によるリサンプリング処理により、高周波帯域の信号が減衰することがある。アパーチャ補正部２０９は、リサンプリング処理による高周波帯域の信号の減衰を補正するような補正（アパーチャ補正）を行う。アパーチャ補正部２０９は、アパーチャ補正後の信号をパイロット信号検出部２１０およびパイロット信号除去部２１１に出力する。
【００５３】
パイロット信号検出部２１０は、アパーチャ補正部２０９から出力された信号からパイロット信号を検出し、検出したパイロット信号をパイロット信号除去部２１１および３８ｋＨｚ信号生成部２１２に出力する。ここで、パイロット信号検出部２１０は、ソフトウェア処理により実現されるＰＬＬ（Ｐｈａｓｅ  Ｌｏｃｋｅｄ  Ｌｏｏｐ）を用いて、パイロット信号を検出する。具体的には、パイロット信号検出部２１０は、ＰＬＬのフィードバックを、パイロット信号と同じ周波数および位相に同期するように制御することで、パイロット信号を検出する。
【００５４】
パイロット信号除去部２１１は、アパーチャ補正部２０９から出力された信号から、パイロット信号検出部２１０により検出されたパイロット信号を除去して、リサンプリング部２１３に出力する。
【００５５】
３８ｋＨｚ信号生成部（ステレオ復調用信号生成部）２１２は、パイロット信号検出部２１０により検出されたパイロット信号と振幅および位相が同期し、パイロット信号の周波数の２倍の周波数（３８ｋＨｚ）のステレオ復調用信号を生成し、ステレオ復調部２１５に出力する。
【００５６】
リサンプリング部２１３（第２のリサンプリング部）は、以降のブロックでの処理に適したデータにするため、パイロット信号除去部２１１から出力された信号に対して、リサンプリング（ダウンサンプリング）処理を行い、リサンプリング処理後の信号をポリフェーズフィルタ部２１４に出力する。
【００５７】
このように本実施形態においては、複数回のリサンプリング処理（ダウンサンプリング処理）を行うマルチレートサンプリング処理を行っている。マルチレートサンプリング処理を行うことで、各ブロックでの処理対象の信号のサンプリングレートを適切に設定することができ、測定精度を維持しつつ、汎用的なコンピュータ２０上で特性測定が行うことができる。
【００５８】
ポリフェーズフィルタ部２１４（第２のポリフェーズフィルタ部）は、リサンプリング部２１３から出力された信号（リサンプリング部２１３によるリサンプリング処理後の信号）に対して、リサンプリング処理で生じたエイリアシング（折り返し信号）を除去するために、ポリフェーズフィルタ処理を行う。そして、ポリフェーズフィルタ部２１４は、ポリフェーズフィルタ処理後の信号をステレオ復調部２１５に出力する。上述したように、ポリフェーズフィルタ処理を用いることで、処理負荷の増加を抑制することができる。
【００５９】
ステレオ復調部２１５は、ポリフェーズフィルタ部２１４から出力された信号に対して、３８ｋＨｚ信号生成部２１２により生成されたステレオ復調用信号を用いてステレオ復調を行い、ステレオ復調データ（ステレオ音声の左音声信号および右音声信号）を取得する。ステレオ復調部２１５は、取得したステレオ復調データをディエンファシス部２１６に出力する。なお、図３においては記載を省略するが、ステレオ復調により得られた左音声信号の信号レベルと、右音声信号の信号レベルとの差により、ステレオ左右分離度を求めることができる。
【００６０】
ディエンファシス部２１６は、ステレオ復調部２１５から出力されたステレオ復調データに対して、高周波成分を抑制するディエンファシス処理を行い、ディエンファシス処理後の信号（測定音声信号）をＦＭ音声信号データ生成部２１７、ＦＭ音声レベル計算部２１８およびＦＭ音声歪率計算部２１９に出力する。
【００６１】
ＦＭ音声信号データ生成部２１７は、ディエンファシス部２１６から出力された測定音声信号（ディエンファシス処理後のステレオ復調データ）をＦＭ音声信号データに変換する。
【００６２】
ＦＭ音声レベル計算部２１８は、ディエンファシス部２１６から出力された測定音声信号の復調音声レベル（ＦＭ音声レベル）を計算し、計算したＦＭ音声レベル（第１の音声レベル）をＦＭ送信機２の特性測定の測定結果として出力する。
【００６３】
ＦＭ音声歪率計算部２１９は、ディエンファシス部２１６から出力された測定音声信号の全高調波歪率（ＦＭ音声歪率（ＴＨＤ＋Ｎ））を計算する。具体的には、ＦＭ音声歪率計算部２１９は、測定音声信号から信号生成部１７の出力（試験信号）に相当する基準信号を減算してノイズ成分を求める。そして、ＦＭ音声歪率計算部２１９は、ノイズ成分の二乗平均平方根と、基準信号との比を全高調波歪率（ＦＭ音声歪率（ＴＨＤ＋Ｎ））として計算する。
【００６４】
全高調波歪率を求める場合、測定音声信号に対するＦＦＴ（Ｆａｓｔ  Ｆｏｕｒｉｅｒ  Ｔｒａｎｓｆｏｒｍ）により得られるスペクトルを用いて、全高調波歪率を計算する方法もある。しかしながら、この方法では、分解能周波数の倍数でないと、精度よく測定することができない。一方、本実施形態のように、測定音声信号から基準信号を減算してノイズ成分を求め、ノイズ成分のＲＭＳと、全波（ノイズ成分および基準信号）のＲＭＳとの比により全高調波歪率を求めることで、精度よく測定することができる。
【００６５】
さらに、本実施形態においては、ＦＭ音声歪率計算部２１９は、基準信号の生成にソフトウェア処理により実現されるＰＬＬを用いる。ＰＬＬの設定周波数は、測定音声信号のＦＦＴ結果から最も振幅の大きい周波数に設定する。こうすることで、任意の基準信号に対して全高調波歪率を求めることができる。
【００６６】
ＦＭ音声歪率計算部２１９は、計算したＦＭ音声歪率（第１の全高調波歪率）をＦＭ送信機２の特性測定の測定結果として出力する。
【００６７】
ＦＭ音声レベル計算部２１８およびＦＭ音声歪率計算部２１９は、測定音声信号の復調音声レベル（ＦＭ音声レベル）および全高調波歪率（ＦＭ音声歪率（ＴＨＤ＋Ｎ））の少なくとも一方を計算し、測定結果として出力する第１の計算部２３１を構成する。
【００６８】
振幅変換部２２０は、ＩＱ分離部２０１から出力されたＩ軸信号およびＱ軸信号の絶対値を計算する絶対値計算により振幅データを取得する。振幅変換部２２０は、所得した振幅データをキャリア成分計算部２２１およびキャリア成分除去部２２２に出力する。
【００６９】
キャリア成分計算部２２１は、振幅変換部２２０から出力された振幅データからキャリア成分（搬送波成分）を計算し、キャリア成分除去部２２２および残留振幅変調雑音計算部２２４に出力する。
【００７０】
キャリア成分除去部２２２は、振幅変換部２２０から出力された振幅データから、キャリア成分計算部２２１により計算されたキャリア成分を除去し、キャリア成分除去後の信号（ＡＭ復調信号）をＡＭ復調信号レベル計算部２２３およびリサンプリング部２２５に出力する。
【００７１】
ＡＭ復調信号レベル計算部（信号レベル計算部）２２３は、キャリア成分除去部２２２から出力されたＡＭ復調信号の信号レベルを計算し、残留振幅変調雑音計算部２２４に出力する。
【００７２】
残留振幅変調雑音計算部２２４は、キャリア成分計算部２２１により計算されたキャリア成分のレベルおよびＡＭ復調信号レベル計算部２２３により計算されたＡＭ復調信号の信号レベルに基づき、残留振幅変調雑音を計算する。残留振幅変調雑音計算部２２４は、計算した残留振幅変調雑音をＦＭ送信機２の特性測定の測定結果として出力する。
【００７３】
上述した各ブロックの処理により、ＦＭ送信機２の特性測定において測定すべき項目に含まれる周波数偏移量、復調音声レベル、全高調波歪率（ＴＨＤ＋Ｎ）、残留振幅変調雑音およびステレオ左右分離度を測定することができる。ここで、本実施形態に係る測定装置１は、ＡＭ変調された信号を出力するＡＭ送信機の特性測定にも用いることができる。以下で説明する各ブロックは主に、ＡＭ送信機の特性測定に用いられるブロックである。なお、ＡＭ送信機の特性測定の場合には当然、ＦＭ送信機２ではなく、測定対象のＡＭ送信機に試験信号が入力される。
【００７４】
リサンプリング部２２５は、以降のブロックでの処理に適したデータにするため、キャリア成分除去部２２２から出力されたＡＭ復調信号に対して、リサンプリング（ダウンサンプリング）処理を行い、リサンプリング処理後の信号をＨＰＦ部２２６に出力する。
【００７５】
ＨＰＦ部２２６は、リサンプリング部２２５から出力された信号（リサンプリング部２２５によるリサンプリング処理後のＡＭ復調信号）に対して、ＨＰＦ処理を行い、ＨＰＦ処理後の信号を遅延処理部２２７に出力する。
【００７６】
遅延処理部２２７は、ＦＭ音声信号データ生成部２１７、ＦＭ音声レベル計算部２１８およびＦＭ音声歪率計算部２１９の動作と、ＡＭ音声信号データ生成部２２８、ＡＭ音声レベル計算部２２９およびＡＭ音声歪率計算部２３０の動作とを同期させるために、ＨＰＦ部２２６から出力された信号に対する遅延処理を行う。そして、遅延処理部２２７は、遅延処理後の信号をＡＭ音声信号データ生成部２２８、ＡＭ音声レベル計算部２２９およびＡＭ音声歪率計算部２３０に出力する。
【００７７】
ＡＭ音声信号データ生成部２２８は、遅延処理部２２７から出力された信号（ＡＭ復調信号）をＡＭ音声信号データに変換する。
【００７８】
ＡＭ音声レベル計算部２２９は、遅延処理部２２７から出力された信号（ＡＭ復調信号）の復調音声レベル（ＡＭ音声レベル）を計算し、計算したＡＭ音声レベル（第２の音声レベル）を測定結果として出力する。
【００７９】
ＡＭ音声歪率計算部２３０は、遅延処理部２２７から出力された信号（ＡＭ復調信号）に基づき、全高調波歪率（ＡＭ音声歪率（ＴＨＤ＋Ｎ））を計算する。具体的には、ＡＭ音声歪率計算部２３０は、遅延処理部２２７から出力されたＡＭ復調信号から信号生成部１７の出力（試験信号）に相当する基準信号を減算してノイズ成分を求める。そして、ＡＭ音声歪率計算部２３０は、ノイズ成分のＲＭＳと、基準信号との比を全高調波歪率（ＡＭ音声歪率（ＴＨＤ＋Ｎ））として計算する。ＡＭ音声歪率計算部２３０は、計算したＡＭ音声歪率（第２の全高調波歪率）を測定結果として出力する。
【００８０】
ＡＭ音声レベル計算部２２９およびＦＭ音声歪率計算部２３０は、ＡＭ復調信号の復調音声レベル（ＡＭ音声レベル）および全高調波歪率（ＡＭ音声歪率（ＴＨＤ＋Ｎ））の少なくとも一方を計算し、測定結果として出力する第２の計算部２３２を構成する。
【００８１】
なお、上述した各種のフィルタ処理および補正処理は、後段のブロックでの処理に影響がない、あるいは、影響が小さければ、適宜、省略してもよい。
【００８２】
測定装置１は、測定処理部１６で得られた測定結果を示す測定結果画面や、ＦＭ送信機２に入力する試験信号を設定するための試験信号設定画面を、信号発生部１１および測定処理部１６の処理を実行するためのプログラムが実装されたコンピュータ２０が備える表示部あるいはコンピュータ２０に接続された表示部などに表示してもよい。
【００８３】
図４は、測定装置１が表示する試験信号設定画面の一例を示す図である。
【００８４】
図４では、試験信号としてデジタル音声信号を設定する場合の試験信号設定画面４０１、および、試験信号としてアナログ音声信号を設定する場合の試験信号設定画面４０２を示している。
【００８５】
図４に示すように、試験信号設定画面４０１，４０２には、試験信号の出力レベルを設定するためのレベル設定部４０３、試験信号の周波数を設定するための周波数設定部４０４、試験信号の波形（例えば、正弦波、三角波、方形波あるいはノコギリ波など）を設定するための波形設定部４０５、左音声信号および右音声信号の位相を反転させるか否かを設定する位相反転設定部４０６、および、左音声信号および右音声信号の出力のＯＮ／ＯＦＦを設定する出力ＯＮ／ＯＦＦ設定部４０７などが含まれる。
【００８６】
試験信号設定画面４０１，４０２の表示に従い、試験信号の波形、周波数などがキーボード、タッチパネルなどの入力装置を介して入力されることで、信号生成部１７から入力に応じた試験信号が出力される。
【００８７】
図５は、測定装置１が表示する測定結果画面５０１の一例を示す図である。
【００８８】
図５に示すように、測定結果画面５０１には、周波数偏移量を示す周波数偏移量表示部５０２、復調音声レベルおよび全高調波歪率を示す復調音声レベル／全高調波歪率表示部５０３、残留振幅変調雑音を示す残留振幅変調雑音表示部５０４、フィルタ処理のフィルタ周波数やディエンファシス処理の有無などの測定条件を設定する測定条件設定部５０５、および、ＦＭ音声信号データおよびＡＭ音声信号データの波形の記録および記録の停止を設定するための波形収録設定部５０６などを含む。
【００８９】
なお、測定装置１は、測定音声信号に対するＦＦＴにより得られるスペクトルの波形を表示部に表示させる機能を備えていてもよい。また、測定装置１は、測定項目に応じて自動的に試験信号や測定条件を設定する機能を備えていてもよい。また、測定装置１は、プリンタに接続され、測定結果を所定の様式（法令で定められた様式）に変換してプリントアウトする機能を備えていてもよい。また、上述したように、本実施形態に係る測定装置１は、ＡＭ音声レベル、ＡＭ音声歪率なども測定することができるので、ＡＭ送信機の特性測定に用いることも可能である。
【００９０】
測定装置１の制御（例えば、信号発生部１１が出力するＷＡＶＥ音声信号の波形、振幅および周波数、測定処理部１６の測定条件）は、例えば、コンピュータ２０が備える入力部を用いて、すなわち、測定装置１の手元で行うことができる。ただし、本発明はこれに限られるものではない。測定装置１は、図１に示すように、ＬＡＮ（Local Area Network）などのネットワーク４を介して接続された制御装置３により制御されてもよい。すなわち、本発明は、測定装置１および制御装置３を備える測定システム５として構成されてもよい。測定装置１と制御装置３とが、例えば、ＬＡＮを介して接続される場合、測定装置１には、測定装置１をＬＡＮに接続するためのＬＡＮポートが設けられる。
【００９１】
制御装置３は、例えば、コンピュータに、測定装置制御用プログラムをインストールすることで実現される。
【００９２】
制御装置３は、測定装置１自体に対する操作入力による測定装置１の制御と同様の制御を、制御装置３を介した操作入力により行うことができる手動測定機能を備える。したがって、制御装置３は、信号発生部１１が出力するＷＡＶＥ音声信号の波形、振幅および周波数を制御したり、特性測定の測定条件を制御したりすることができる。
【００９３】
例えば、制御装置３は、測定項目に応じて、信号発生部１１が出力するＷＡＶＥ音声信号の周波数、アナログ変調信号の変調率、ディエンファシス部２１６によるディエンファシス処理の有無などを制御する。
【００９４】
また、制御装置３は、法令で定められたあるいはＦＭ送信機２の保守点検のための所定の測定項目の測定を自動的に測定装置１に行わせ、その測定結果をネットワーク４を介して取得し、その測定結果が正常か否か（例えば、法令で定められた閾値を満たすか否か）を判定し、判定結果を出力する自動測定機能を備える。制御装置３は、例えば、測定装置１の測定結果が正常か否かの判定結果を示す帳票を作成して出力する。
【００９５】
また、制御装置３は、任意の測定項目の測定結果を連続的に監視し、予め定められた閾値を超えるなどすると警告を発する連続監視機能を備える。制御装置３が監視する測定項目としては、ＦＭ送信機２の場合には、周波数偏移量、復調信号レベル、復調信号ひずみ率、パイロット信号レベル、残留振幅変調雑音、ＲＦ信号入力レベルなどがある。また、制御装置３が監視する測定項目としては、ＡＭ送信機の場合には、変調度、復調信号レベル、復調信号ひずみ率、ＲＦ信号入力レベルなどがある。
【００９６】
なお、制御装置３は、閾値判定を行う場合、判定の猶予時間（判定猶予時間）を設ける、すなわち、測定結果が閾値を超える状態が所定時間以上続いた場合に、警告を発するようにしてもよい。また、制御装置３は、測定結果のログファイルを記憶してもよい。また、制御装置３は、任意の間隔（例えば、１日単位、１時間単位など）でログファイルを分割して記憶してもよい。
【００９７】
また、制御装置３は、測定装置１のファームウェア管理など、測定装置１自体の管理を行う装置管理機能を有する。
【００９８】
図６Ａ−図６Ｈは、制御装置３が表示する画面の一例を示す図である。制御装置３は、図６Ａ−図６Ｈに示す画面を、制御装置３が備える表示部、あるいは、制御装置３に接続された表示部などに表示する。
【００９９】
図６Ａは、制御装置３の機能選択に関する最初の指示を受け付けるための画面であるトップ画面６００の一例を示す図である。図６Ａに示すように、トップ画面６００には、制御装置３が備える機能（手動測定機能、自動測定機能、連続監視機能、装置管理機能）を選択するための機能選択部６０１が含まれる。
【０１００】
図６Ｂは、手動測定機能の選択時に、測定機能を選択するための画面である測定機能選択画面６１０の一例を示す図である。図６Ｂに示すように、測定機能選択画面６１０には、ＦＭ変調された信号の特性測定を行うＦＭ測定機能、あるいは、ＡＭ変調された信号の特性測定を行うＡＭ測定機能を選択するための測定選択部６１１が含まれる。
【０１０１】
図６Ｃは、手動測定機能により測定装置１に測定を行わせた場合の測定結果を表示するための画面である測定結果表示画面６２０の一例を示す図である。図６Ｃに示すように、測定結果表示画面６２０には、測定装置１の測定結果を表示する測定結果表示部６２１、信号発生部１１が出力するＷＡＶＥ音声信号を制御するための信号制御部６２２などが含まれる。測定結果表示部６２１には、測定条件を設定するための測定条件設定部が含まれてもよい。
【０１０２】
図６Ｄは、自動測定機能の選択時に、測定機能を選択するための画面である測定機能選択画面６３０の一例を示す図である。図６Ｄに示すように、測定機能選択画面６３０には、ＦＭ変調された信号の特性測定を行うＦＭ測定機能、あるいは、ＡＭ変調された信号の特性測定を行うＡＭ測定機能を選択するための測定選択部６３１が含まれる。
【０１０３】
図６Ｅは、自動測定機能により測定装置１に測定を行わせる測定項目を選択するための測定項目選択画面６４０の一例を示す図である。図６Ｅに示すように、測定項目選択画面６４０には、測定項目を選択するための測定項目選択部６４１、測定装置１の測定結果の保存先を指定するための保存先指定部６４２、測定装置１に測定の開始を指示するための測定開始指示部６４３、測定装置１に測定の停止を指示するための測定停止指示部６４４、測定結果の確認画面の表示を指示するための測定結果表示指示部６４５および測定結果の保存を指示する測定結果保存指示部６４６などを含む。
【０１０４】
図６Ｆは、自動測定機能により測定装置１に測定を行わせた場合に、測定結果を確認するための画面である測定結果確認画面６５０の一例を示す図である。図６Ｆに示すように、測定結果確認画面６５０には、選択された測定項目に対応する測定項目タグ６５１、測定項目タグ６５１に含まれるタグのうち、選択されたタグに対応する測定項目の測定結果を表示する測定結果表示部６５２などを含む。測定結果表示部６５２には、測定結果のデータを表示するデータ表示部６５３、測定結果をグラフ化して表示するグラフ表示部６５４、および、測定結果表示部６５２に表示された測定結果が正常（ＯＫ）か異常（ＮＧ）かの判定結果を示す判定結果表示部６５５などを含む。制御装置３は、測定項目タグ６５１に含まれるタグのうち、測定結果が「ＮＧ」であると判定された測定項目に対応すタグに色付けするなどしてもよい。
【０１０５】
図６Ｇは、連続監視機能の選択時に、監視条件を設定するための監視条件設定画面６６０の一例を示す図である。図６Ｇに示すように、監視条件設定画面６６０には、監視する測定項目（監視項目）、監視項目の測定結果が正常か否かを判定するための閾値、判定猶予時間、ログの取得間隔などを指定するための監視条件設定部６６１、および、監視項目の現在の測定値およびその測定値が正常であるか否か判定結果の表示、および、警告音（ブザー）の大きさ、監視の開始、停止などを設定するための監視結果表示部６６２などを含む。
【０１０６】
図６Ｈは、装置管理機能の選択時に、更新するファームウェアなどを指定するための画面である装置管理画面６７０の一例を示す図である。図６Ｈに示すように、装置管理画面６７０には、測定装置１に新たに適用する（更新する）ファームウェアの保存先を指定するためのファームウェア保存先指定部６７１、および、ファームウェア保存先指定部６７１で指定されたファームウェアの測定装置１への適用を指示するためのファームウェア更新指示部６７２などを含む。
【０１０７】
このように本実施形態においては、測定装置１は、任意の波形、振幅および周波数を有するデジタル音声信号を生成する信号発生部１１と、信号発生部１１により生成されたデジタル音声信号に基づく試験信号のＦＭ送信機２への入力に応じて、ＦＭ送信機２から出力された信号が直交復調された直交復調データに基づき、特性測定を行い、測定結果を出力する測定処理部１６とを備える。そして、信号発生部１１および測定処理部１６が、同じコンピュータ２０上に実装されている。また、信号発生部１１が生成するデジタル音声信号、および、特性測定の測定条件が、測定装置１にネットワーク４を介して接続された制御装置３により制御可能である。
【０１０８】
そのため、試験信号を生成するための信号発生器や、特性測定を行うための直線検波器、ステレオ復調器などの大型・高重量の機器が不要となるので、測定環境の小型化を図ることができるとともに、機器間の接続変更などが不要となるので、特性測定の操作の簡素化を図ることができる。また、制御装置３により、デジタル音声信号および特性測定の測定条件を併せて制御することができるので、送信機の特性測定の利便性を向上させることができる。
【０１０９】
実施形態では特に触れていないが、コンピュータ２０に実装されるプログラムは、コンピュータ読取り可能媒体に記録されていてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭなどの記録媒体であってもよい。
【０１１０】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロックなどに含まれる機能などは論理的に矛盾しないように再配置可能であり、複数のブロックを１つに組み合わせたり、或いは分割したりすることが可能である。
【符号の説明】
【０１１１】
１    測定装置
２    ＦＭ送信機（送信機）
３    制御装置
４    ネットワーク
５    測定システム
１１    信号発生部
１２    ＤＤ変換器
１３    ＤＡ変換器
１４    周波数コンバータ
１５    ソフトウェア受信機
１６    測定処理部
１７    信号生成部
１８    変換部
１９    測定部
２０    コンピュータ
１０１    波形選択部
１０２    振幅選択部
１０３    周波数選択部
１０４    ＷＡＶＥフォーマット音声データ生成部
２０１    ＩＱ分離部
２０２    ＲＦ変換部
２０３    ＦＭ復調部
２０４，２０９    アパーチャ補正部
２０５    周波数偏移量計算部
２０６    フィルタ部
２０７    リサンプリング部（第１のリサンプリング部）
２０８    ポリフェーズフィルタ部（第１のポリフェーズフィルタ部）
２１０    パイロット信号検出部
２１１    パイロット信号除去部
２１２    ３８ｋＨｚ信号生成部
２１３    リサンプリング部（第２のリサンプリング部）
２１４    ポリフェーズフィルタ部（第２のポリフェーズフィルタ部）
２１５    ステレオ復調部
２１６    ディエンファシス部
２１７    ＦＭ音声信号データ生成部
２１８    ＦＭ音声レベル計算部
２１９    ＦＭ音声歪率計算部
２２０    振幅変換部
２２１    キャリア成分計算部
２２２    キャリア成分除去部
２２３    ＡＭ復調信号レベル計算部
２２４    残留振幅変調雑音計算部
２２５    リサンプリング部
２２６    ＨＰＦ部
２２７    遅延処理部
２２８    ＡＭ音声信号データ生成部
２２９    ＡＭ音声レベル計算部
２３０    ＡＭ音声歪率計算部
２３１    第１の計算部
２３２    第２の計算部
４０１，４０２    試験信号設定画面
４０３    レベル設定部
４０４    周波数設定部
４０５    波形設定部
４０６    位相反転設定部
４０７    出力ＯＮ／ＯＦＦ設定部
５０１    測定結果画面
５０２    周波数偏移量表示部
５０３    復調音声レベル／全高調波歪率表示部
５０４    残留振幅変調雑音表示部
５０５    測定条件設定部
５０６    波形収録設定部
６００    トップ画面
６０１    機能選択部
６１０    測定機能選択画面
６１１    測定機能選択部
６２０    測定結果表示画面
６２１    測定結果表示部
６２２    信号制御部
６３０    測定機能選択画面
６３１    測定機能選択部
６４０    測定項目選択画面
６４１    測定項目選択部
６４２    保存先指定部
６４３    測定開始指示部
６４４    測定停止指示部
６４５    測定結果表示指示部
６４６    測定結果保存指示部
６５０    測定結果確認画面
６５１    測定項目タグ
６５２    測定結果表示部
６５３    データ表示部
６５４    グラフ表示部
６５５    判定結果表示部
６６０    監視条件設定画面
６６１    監視条件設定部
６６２    監視結果表示部
６７０    装置管理画面
６７１    ファームウェア保存先指定部
６７２    ファームウェア更新指示部
【図１】
2020061711.tif 000003
【図２】
2020061711.tif 000004
【図３】
2020061711.tif 000005
【図４】
2020061711.tif 000006
【図５】
2020061711.tif 000007
【図６Ａ】
2020061711.tif 000008
【図６Ｂ】
2020061711.tif 000009
【図６Ｃ】
2020061711.tif 000010
【図６Ｄ】
2020061711.tif 000011
【図６Ｅ】
2020061711.tif 000012
【図６Ｆ】
2020061711.tif 000013
【図６Ｇ】
2020061711.tif 000014
【図６Ｈ】
2020061711.tif 000015
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ＦＭ変調された信号またはＡＭ変調された信号を出力する送信機の特性測定を行う測定装置であって、
任意の波形、振幅および周波数を有するデジタル音声信号を生成する信号発生部と、
前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、
前記信号発生部および前記測定処理部が、同じコンピュータ上に実装されており、
前記測定装置にネットワークを介して接続された制御装置に対する操作入力により、前記信号発生部が生成するデジタル音声信号、および、前記特性測定の測定条件が制御される手動測定と、前記送信機に対して予め定められた所定の測定項目の測定を自動的に行う自動測定とが切り換え可能であることを特徴とする測定装置。
【請求項２】
請求項１に記載の測定装置において、
前記送信機は、ＦＭ変調された信号を出力するＦＭ送信機であり、
前記測定処理部は、
前記直交復調データをＩ軸信号とＱ軸信号とに分離するＩＱ分離部と、
前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、
前記ＦＭ復調部によるＦＭ復調により得られたＦＭ復調信号から周波数偏移量を計算し、該計算した周波数偏移量を前記測定結果として出力する周波数偏移量計算部と、を備えることを特徴とする測定装置。
【請求項３】
請求項１に記載の測定装置において、
前記送信機は、ＦＭ変調された信号を出力するＦＭ送信機であり、
前記ＦＭ送信機は、前記試験信号に対するステレオ変調を行った後、前記ＦＭ変調を行い、
前記測定処理部は、
前記直交復調データをＩ軸信号とＱ軸信号とに分離するＩＱ分離部と、
前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、
前記ＦＭ復調部によるＦＭ復調により得られたＦＭ復調信号に対してステレオ復調を行い、測定音声信号を取得するステレオ復調部と、
前記ステレオ復調部により取得された測定音声信号の音声レベル、および、前記測定音声信号から前記試験信号に相当する基準信号を減算したノイズ成分の二乗平均平方根と、前記基準信号との比である第１の全高調波歪率の少なくとも一方を計算し、前記測定結果として出力する第１の計算部と、を備えることを特徴とする測定装置。
【請求項４】
請求項３に記載の測定装置において、
前記ＦＭ送信機は、前記ステレオ変調により、前記試験信号を、パイロット信号と、ステレオ音声の左音声信号と右音声信号との和信号と、前記左音声信号と前記右音声信号との差信号に基づき、前記パイロット信号の２倍の周波数の副搬送波を変調した信号とを重畳した信号に変換し、
前記測定処理部は、前記ＦＭ復調信号に対するダウンサンプリング処理を行う第１のリサンプリング部と、
前記第１のリサンプリング部によるダウンサンプリング処理後の信号に対して、ポリフェーズフィルタ処理を行い、所定周波数よりも高周波成分を除去する第１のポリフェーズフィルタ部と、
前記第１のポリフェーズフィルタ部によるポリフェーズフィルタ処理後の信号から前記パイロット信号を検出するパイロット信号検出部と、
前記第１のポリフェーズフィルタ部によるポリフェーズフィルタ処理後の信号から、前記パイロット信号検出部により検出されたパイロット信号を除去するパイロット信号除去部と、
前記パイロット信号検出部により検出されたパイロット信号と振幅および位相が同期し、前記パイロット信号の周波数の２倍の周波数のステレオ復調用信号を生成するステレオ復調用信号生成部と、
前記パイロット信号除去部によるパイロット信号の除去後の信号に対するダウンサンプリング処理を行う第２のリサンプリング部と、
前記第２のリサンプリング部によるダウンサンプリング処理後の信号に対して、ポリフェーズフィルタ処理を行い、所定周波数よりも高周波成分を除去する第２のポリフェーズフィルタ部と、をさらに備え、
前記ステレオ復調部は、前記第２のポリフェーズフィルタ部によるポリフェーズフィルタ処理後の信号に対して、前記ステレオ復調用信号生成部により生成されたステレオ復調用信号を用いてステレオ復調を行うことを特徴とする測定装置。
【請求項５】
請求項４に記載の測定装置において、
前記ステレオ復調部は、前記ＦＭ復調信号として前記左音声信号と前記右音声信号とを取得し、
前記左音声信号の音声レベルと前記右音声信号の音声レベルとの差であるステレオ左右分離度を計算し、該計算したステレオ左右分離度を前記測定結果として出力することを特徴とする測定装置。
【請求項６】
請求項１に記載の測定装置において、
前記送信機は、ＦＭ変調された信号を出力するＦＭ送信機であり、
前記測定処理部は、
前記直交復調データをＩ軸信号とＱ軸信号とに分離するＩＱ分離部と、
前記ＩＱ分離部により分離されたＩ軸信号およびＱ軸信号の絶対値を計算する絶対値計算により振幅データを取得する振幅変換部と、
前記振幅変換部により取得された振幅データからキャリア成分を計算するキャリア成分計算部と、
前記振幅変換部により取得された振幅データから、前記キャリア成分計算部により計算されたキャリア成分を除去したＡＭ復調信号を取得するキャリア成分除去部と、
前記キャリア成分除去部により取得されたＡＭ復調信号の信号レベルを計算する信号レベル計算部と、
前記キャリア成分計算部により計算されたキャリア成分のレベルと、前記信号レベル計算部により計算された前記ＡＭ復調信号の信号レベルとに基づき、残留振幅変調雑音を計算し、該計算した残留振幅変調雑音を前記測定結果として出力する残留振幅変調雑音計算部と、をさらに備えることを特徴とする測定装置。
【請求項７】
請求項１に記載の測定装置において、
前記送信機は、ＡＭ変調された信号を出力するＡＭ送信機であり、
前記測定処理部は、
前記直交復調データをＩ軸信号とＱ軸信号とに分離するＩＱ分離部と、
前記ＩＱ分離部により分離されたＩ軸信号およびＱ軸信号の絶対値を計算する絶対値計算により振幅データを取得する振幅変換部と、
前記振幅変換部により取得された振幅データからキャリア成分を計算するキャリア成分計算部と、
前記振幅変換部により取得された振幅データから、前記キャリア成分計算部により計算されたキャリア成分を除去したＡＭ復調信号を取得するキャリア成分除去部と、
前記キャリア成分除去部により取得されたＡＭ復調信号の音声レベル、および、前記ＡＭ復調信号から前記試験信号に相当する基準信号を減算したノイズ成分の二乗平均平方根と、前記基準信号との比である第２の全高調波歪率の少なくとも一方を計算し、前記測定結果として出力する第２の計算部と、を備えることを特徴とする測定装置。
【請求項８】
請求項１から７のいずれか一項に記載の測定装置において、
前記試験信号を設定するための試験信号設定画面、および、前記測定結果を示す測定結果画面の少なくとも一方を表示部に表示することを特徴とする測定装置。
【請求項９】
ＦＭ変調された信号またはＡＭ変調された信号を出力する送信機の特性測定を行うためのプログラムであって、コンピュータに、
任意の波形、振幅および周波数を有するデジタル音声信号を生成する処理と、
前記生成されたデジタル音声信号に基づく試験信号の前記送信機への入力に応じて、前記送信機から出力された信号が直交復調された直交復調データに基づき、前記特性測定を行い、測定結果を出力する処理と、を実行させ、
前記コンピュータにネットワークを介して接続された制御装置に対する操作入力により、前記デジタル音声信号、および、前記特性測定の測定条件が制御される手動測定と、前記送信機に対して予め定められた所定の測定項目の測定を自動的に行う自動測定とが切り換え可能であるプログラム。
【請求項１０】
ＦＭ変調された信号またはＡＭ変調された信号を出力する送信機の特性測定を行う測定装置と、前記測定装置とネットワークを介して接続された制御装置とを備え、
前記測定装置は、
任意の波形、振幅および周波数を有するデジタル音声信号を生成する信号発生部と、
前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、
前記信号発生部および前記測定処理部が、同じコンピュータ上に実装されており、
前記制御装置は、
前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能であることを特徴とする測定システム。
【請求項１１】
任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記特性測定を行い、測定結果を出力する測定処理部と、を備え、前記信号発生部および前記測定処理部が、同じコンピュータ上に実装された測定装置にネットワークを介して接続された制御装置であって、
前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能であることを特徴とする制御装置。
【請求項１２】
請求項１１に記載の制御装置において、
前記測定装置の測定結果が正常であるか、異常であるかを判定することを特徴とする測定システム。
【請求項１３】
請求項１２に記載に制御装置において、
前記測定装置の測定結果を監視する測定項目である監視項目の測定結果が、所定の閾値に応じた判定条件を所定の判定猶予時間以上満たすか否かにより、前記監視項目の測定結果が正常であるか、異常であるかを判定することを特徴とする制御装置。
【請求項１４】
請求項１３に記載の制御装置において、
前記所定の閾値の上限および下限と、前記判定猶予時間とを設定するための監視条件設定画面を表示部に表示することを特徴とする制御装置。
【請求項１５】
請求項１１から１４のいずれか一項に記載の制御装置において、
前記測定装置に測定を行わせる測定項目を選択するための測定項目選択画面を表示部に表示することを特徴とする制御装置。
【請求項１６】
請求項１１から１５のいずれか一項に記載の制御装置において、
前記測定装置により測定が行われた測定項目ごとに対応するタグと、選択されたタグに対応する選択項目の測定結果とを含む測定結果確認画面を表示部に表示することを特徴とする制御装置。
【請求項１７】
任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記特性測定を行い、測定結果を出力する測定処理部と、を備え、前記信号発生部および前記測定処理部が、同じ第１のコンピュータ上に実装された測定装置にネットワークを介して接続された第２のコンピュータに、
前記第２のコンピュータに対する操作入力により、前記デジタル音声信号、および、前記特性測定の測定条件を制御する手動測定と、前記送信機に対して予め定められた測定項目の測定を前記第１のコンピュータに自動的に行わせる自動測定とを切り替える処理を実行させるプログラム。
【手続補正３】
【補正対象書類名】明細書
【補正対象項目名】０００６
【補正方法】変更
【補正の内容】
【０００６】
上記課題を解決するため、本発明に係る測定装置は、ＦＭ変調された信号またはＡＭ（Ａｍｐｌｉｔｕｄｅ  Ｍｏｄｕｌａｔｉｏｎ）変調された信号を出力する送信機の特性測定を行う測定装置であって、任意の波形、振幅および周波数を有するデジタル音声信号を生成する信号発生部と、前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、前記信号発生部および前記測定処理部が、同じコンピュータ上に実装されており、前記測定装置にネットワークを介して接続された制御装置に対する操作入力により、前記信号発生部が生成するデジタル音声信号、および、前記特性測定の測定条件が制御される手動測定と、前記送信機に対して予め定められた所定の測定項目の測定を自動的に行う自動測定とが切り換え可能である。
【手続補正４】
【補正対象書類名】明細書
【補正対象項目名】００１４
【補正方法】変更
【補正の内容】
【００１４】
また、上記課題を解決するため、本発明に係るプログラムは、ＦＭ変調された信号また
はＡＭ変調された信号を出力する送信機の特性測定を行うためのプログラムであって、コ
ンピュータに、任意の波形、振幅および周波数を有するデジタル音声信号を生成する処理
と、前記生成されたデジタル音声信号に基づく試験信号の前記送信機への入力に応じて、
前記送信機から出力された信号が直交復調された直交復調データに基づき、前記特性測定
を行い、測定結果を出力する処理と、を実行させ、前記コンピュータにネットワークを介して接続された制御装置に対する操作入力により、前記デジタル音声信号、および、前記
特性測定の測定条件が制御される手動測定と、前記送信機に対して予め定められた所定の測定項目の測定を自動的に行う自動測定とが切り換え可能である。
【手続補正５】
【補正対象書類名】明細書
【補正対象項目名】００１５
【補正方法】変更
【補正の内容】
【００１５】
また、上記課題を解決するため、本発明に係る測定システムは、ＦＭ変調された信号またはＡＭ変調された信号を出力する送信機の特性測定を行う測定装置と、前記測定装置とネットワークを介して接続された制御装置とを備え、前記測定装置は、任意の波形、振幅および周波数を有するデジタル音声信号を生成する信号発生部と、前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、前記信号発生部および前記測定処理部が、同じコンピュータ上に実装されており、前記制御装置は、前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能である。
【手続補正６】
【補正対象書類名】明細書
【補正対象項目名】００１６
【補正方法】変更
【補正の内容】
【００１６】
また、上記課題を解決するため、本発明に係る制御装置は、任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記特性測定を行い、測定結果を出力する測定処理部と、を備え、前記信号発生部および前記測定処理部が、同じコンピュータ上に実装された測定装置にネットワークを介して接続された制御装置であって、前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能である。
また、本発明に係る制御装置において、前記測定装置の測定結果が正常であるか、異常であるかを判定することが好ましい。
また、本発明に係る制御装置において、前記測定装置の測定結果を監視する測定項目である監視項目の測定結果が、所定の閾値に応じた判定条件を所定の判定猶予時間以上満たすか否かにより、前記監視項目の測定結果が正常であるか、異常であるかを判定することが好ましい。
また、本発明に係る制御装置において、前記所定の閾値の上限および下限と、前記判定猶予時間とを設定するための監視条件設定画面を表示部に表示することが好ましい。
また、本発明に係る制御装置において、前記測定装置に測定を行わせる測定項目を選択するための測定項目選択画面を表示部に表示することが好ましい。
また、本発明に係る制御装置において、前記測定装置により測定が行われた測定項目ごとに対応するタグと、選択されたタグに対応する選択項目の測定結果とを含む測定結果確認画面を表示部に表示することが好ましい。
また、上記課題を解決するため、本発明に係るプログラムは、任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記特性測定を行い、測定結果を出力する測定処理部と、を備え、前記信号発生部および前記測定処理部が、同じ第１のコンピュータ上に実装された測定装置にネットワークを介して接続された第２のコンピュータに、
前記第２のコンピュータに対する操作入力により、前記デジタル音声信号、および、前記特性測定の測定条件を制御する手動測定と、前記送信機に対して予め定められた測定項目の測定を前記第１のコンピュータに自動的に行わせる自動測定とを切り替える処理を実行させる。
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ＦＭ変調された信号またはＡＭ変調された信号を出力する送信機の特性測定を行う測定装置であって、
任意の波形、振幅および周波数を有するデジタル音声信号を生成する信号発生部と、
前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、
前記信号発生部および前記測定処理部が、同じコンピュータ上に実装されており、
前記測定装置にネットワークを介して接続された制御装置に対する操作入力により、前記信号発生部が生成するデジタル音声信号、および、前記特性測定の測定条件が制御される手動測定と、前記送信機に対して予め定められた所定の測定項目の測定を自動的に行う自動測定とが切り換え可能であることを特徴とする測定装置。
【請求項２】
請求項１に記載の測定装置において、
前記送信機は、ＦＭ変調された信号を出力するＦＭ送信機であり、
前記測定処理部は、
前記直交復調データをＩ軸信号とＱ軸信号とに分離するＩＱ分離部と、
前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、
前記ＦＭ復調部によるＦＭ復調により得られたＦＭ復調信号から周波数偏移量を計算し、該計算した周波数偏移量を前記測定結果として出力する周波数偏移量計算部と、を備えることを特徴とする測定装置。
【請求項３】
請求項１に記載の測定装置において、
前記送信機は、ＦＭ変調された信号を出力するＦＭ送信機であり、
前記ＦＭ送信機は、前記試験信号に対するステレオ変調を行った後、前記ＦＭ変調を行い、
前記測定処理部は、
前記直交復調データをＩ軸信号とＱ軸信号とに分離するＩＱ分離部と、
前記ＩＱ分離部により分離されたＩ軸信号とＱ軸信号との偏角の計算、および、該計算した偏角の数値微分により、前記Ｉ軸信号および前記Ｑ軸信号のＦＭ復調を行うＦＭ復調部と、
前記ＦＭ復調部によるＦＭ復調により得られたＦＭ復調信号に対してステレオ復調を行い、測定音声信号を取得するステレオ復調部と、
前記ステレオ復調部により取得された測定音声信号の音声レベル、および、前記測定音声信号から前記試験信号に相当する基準信号を減算したノイズ成分の二乗平均平方根と、前記基準信号との比である第１の全高調波歪率の少なくとも一方を計算し、前記測定結果として出力する第１の計算部と、を備えることを特徴とする測定装置。
【請求項４】
請求項３に記載の測定装置において、
前記ＦＭ送信機は、前記ステレオ変調により、前記試験信号を、パイロット信号と、ステレオ音声の左音声信号と右音声信号との和信号と、前記左音声信号と前記右音声信号との差信号に基づき、前記パイロット信号の２倍の周波数の副搬送波を変調した信号とを重畳した信号に変換し、
前記測定処理部は、前記ＦＭ復調信号に対するダウンサンプリング処理を行う第１のリサンプリング部と、
前記第１のリサンプリング部によるダウンサンプリング処理後の信号に対して、ポリフェーズフィルタ処理を行い、所定周波数よりも高周波成分を除去する第１のポリフェーズフィルタ部と、
前記第１のポリフェーズフィルタ部によるポリフェーズフィルタ処理後の信号から前記パイロット信号を検出するパイロット信号検出部と、
前記第１のポリフェーズフィルタ部によるポリフェーズフィルタ処理後の信号から、前記パイロット信号検出部により検出されたパイロット信号を除去するパイロット信号除去部と、
前記パイロット信号検出部により検出されたパイロット信号と振幅および位相が同期し、前記パイロット信号の周波数の２倍の周波数のステレオ復調用信号を生成するステレオ復調用信号生成部と、
前記パイロット信号除去部によるパイロット信号の除去後の信号に対するダウンサンプリング処理を行う第２のリサンプリング部と、
前記第２のリサンプリング部によるダウンサンプリング処理後の信号に対して、ポリフェーズフィルタ処理を行い、所定周波数よりも高周波成分を除去する第２のポリフェーズフィルタ部と、をさらに備え、
前記ステレオ復調部は、前記第２のポリフェーズフィルタ部によるポリフェーズフィルタ処理後の信号に対して、前記ステレオ復調用信号生成部により生成されたステレオ復調用信号を用いてステレオ復調を行うことを特徴とする測定装置。
【請求項５】
請求項４に記載の測定装置において、
前記ステレオ復調部は、前記ＦＭ復調信号として前記左音声信号と前記右音声信号とを取得し、
前記左音声信号の音声レベルと前記右音声信号の音声レベルとの差であるステレオ左右分離度を計算し、該計算したステレオ左右分離度を前記測定結果として出力することを特徴とする測定装置。
【請求項６】
請求項１に記載の測定装置において、
前記送信機は、ＦＭ変調された信号を出力するＦＭ送信機であり、
前記測定処理部は、
前記直交復調データをＩ軸信号とＱ軸信号とに分離するＩＱ分離部と、
前記ＩＱ分離部により分離されたＩ軸信号およびＱ軸信号の絶対値を計算する絶対値計算により振幅データを取得する振幅変換部と、
前記振幅変換部により取得された振幅データからキャリア成分を計算するキャリア成分計算部と、
前記振幅変換部により取得された振幅データから、前記キャリア成分計算部により計算されたキャリア成分を除去したＡＭ復調信号を取得するキャリア成分除去部と、
前記キャリア成分除去部により取得されたＡＭ復調信号の信号レベルを計算する信号レベル計算部と、
前記キャリア成分計算部により計算されたキャリア成分のレベルと、前記信号レベル計算部により計算された前記ＡＭ復調信号の信号レベルとに基づき、残留振幅変調雑音を計算し、該計算した残留振幅変調雑音を前記測定結果として出力する残留振幅変調雑音計算部と、をさらに備えることを特徴とする測定装置。
【請求項７】
請求項１に記載の測定装置において、
前記送信機は、ＡＭ変調された信号を出力するＡＭ送信機であり、
前記測定処理部は、
前記直交復調データをＩ軸信号とＱ軸信号とに分離するＩＱ分離部と、
前記ＩＱ分離部により分離されたＩ軸信号およびＱ軸信号の絶対値を計算する絶対値計算により振幅データを取得する振幅変換部と、
前記振幅変換部により取得された振幅データからキャリア成分を計算するキャリア成分計算部と、
前記振幅変換部により取得された振幅データから、前記キャリア成分計算部により計算されたキャリア成分を除去したＡＭ復調信号を取得するキャリア成分除去部と、
前記キャリア成分除去部により取得されたＡＭ復調信号の音声レベル、および、前記ＡＭ復調信号から前記試験信号に相当する基準信号を減算したノイズ成分の二乗平均平方根と、前記基準信号との比である第２の全高調波歪率の少なくとも一方を計算し、前記測定結果として出力する第２の計算部と、を備えることを特徴とする測定装置。
【請求項８】
請求項１から７のいずれか一項に記載の測定装置において、
前記試験信号を設定するための試験信号設定画面、および、前記測定結果を示す測定結果画面の少なくとも一方を表示部に表示することを特徴とする測定装置。
【請求項９】
ＦＭ変調された信号またはＡＭ変調された信号を出力する送信機の特性測定を行うためのプログラムであって、コンピュータに、
任意の波形、振幅および周波数を有するデジタル音声信号を生成する処理と、
前記生成されたデジタル音声信号に基づく試験信号の前記送信機への入力に応じて、前記送信機から出力された信号が直交復調された直交復調データに基づき、前記特性測定を行い、測定結果を出力する処理と、を実行させ、
前記コンピュータにネットワークを介して接続された制御装置に対する操作入力により、前記デジタル音声信号、および、前記特性測定の測定条件が制御される手動測定と、前記送信機に対して予め定められた所定の測定項目の測定を自動的に行う自動測定とが切り換え可能であるプログラム。
【請求項１０】
ＦＭ変調された信号またはＡＭ変調された信号を出力する送信機の特性測定を行う測定装置と、前記測定装置とネットワークを介して接続された制御装置とを備え、
前記測定装置は、
任意の波形、振幅および周波数を有するデジタル音声信号を生成する信号発生部と、
前記信号発生部により生成されたデジタル音声信号に基づく試験信号の前記送信機への入力に応じて、前記送信機から出力された信号が直交復調された直交復調データに基づき、前記特性測定を行い、測定結果を出力する測定処理部と、を備え、
前記信号発生部および前記測定処理部が、同じコンピュータ上に実装されており、
前記制御装置は、
前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能であることを特徴とする測定システム。
【請求項１１】
任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記送信機の特性測定を行い、測定結果を出力する測定処理部と、を備え、前記信号発生部および前記測定処理部が、同じコンピュータ上に実装された測定装置にネットワークを介して接続された制御装置であって、
前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能であることを特徴とする制御装置。
【請求項１２】
請求項１１に記載の制御装置において、
前記測定装置の測定結果が正常であるか、異常であるかを判定することを特徴とする測定システム。
【請求項１３】
請求項１２に記載に制御装置において、
前記測定装置の測定結果を監視する測定項目である監視項目の測定結果が、所定の閾値に応じた判定条件を所定の判定猶予時間以上満たすか否かにより、前記監視項目の測定結果が正常であるか、異常であるかを判定することを特徴とする制御装置。
【請求項１４】
請求項１３に記載の制御装置において、
前記所定の閾値の上限および下限と、前記判定猶予時間とを設定するための監視条件設定画面を表示部に表示することを特徴とする制御装置。
【請求項１５】
請求項１１から１４のいずれか一項に記載の制御装置において、
前記測定装置に測定を行わせる測定項目を選択するための測定項目選択画面を表示部に表示することを特徴とする制御装置。
【請求項１６】
請求項１１から１５のいずれか一項に記載の制御装置において、
前記測定装置により測定が行われた測定項目ごとに対応するタグと、選択されたタグに対応する選択項目の測定結果とを含む測定結果確認画面を表示部に表示することを特徴とする制御装置。
【請求項１７】
任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記送信機の特性測定を行い、測定結果を出力する測定処理部と、を備え、前記信号発生部および前記測定処理部が、同じ第１のコンピュータ上に実装された測定装置にネットワークを介して接続された第２のコンピュータに、
前記第２のコンピュータに対する操作入力により、前記デジタル音声信号、および、前記特性測定の測定条件を制御する手動測定と、前記送信機に対して予め定められた測定項目の測定を前記第１のコンピュータに自動的に行わせる自動測定とを切り替える処理を実行させるプログラム。
【手続補正２】
【補正対象書類名】明細書
【補正対象項目名】００１６
【補正方法】変更
【補正の内容】
【００１６】
また、上記課題を解決するため、本発明に係る制御装置は、任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記送信機の特性測定を行い、測定結果を出力する測定処理部と、を備え、前記信号発生部および前記測定処理部が、同じコンピュータ上に実装された測定装置にネットワークを介して接続された制御装置であって、前記制御装置に対する操作入力により、前記デジタル音声信号、および、前記特性測定の測定条件を制御する手動測定と、前記送信機に対して予め定められた測定項目の測定を前記測定装置に自動的に行わせる自動測定とが切り換え可能である。
また、本発明に係る制御装置において、前記測定装置の測定結果が正常であるか、異常であるかを判定することが好ましい。
また、本発明に係る制御装置において、前記測定装置の測定結果を監視する測定項目である監視項目の測定結果が、所定の閾値に応じた判定条件を所定の判定猶予時間以上満たすか否かにより、前記監視項目の測定結果が正常であるか、異常であるかを判定することが好ましい。
また、本発明に係る制御装置において、前記所定の閾値の上限および下限と、前記判定猶予時間とを設定するための監視条件設定画面を表示部に表示することが好ましい。
また、本発明に係る制御装置において、前記測定装置に測定を行わせる測定項目を選択するための測定項目選択画面を表示部に表示することが好ましい。
また、本発明に係る制御装置において、前記測定装置により測定が行われた測定項目ごとに対応するタグと、選択されたタグに対応する選択項目の測定結果とを含む測定結果確認画面を表示部に表示することが好ましい。
また、上記課題を解決するため、本発明に係るプログラムは、任意の波形、振幅および周波数を有するデジタル音声信号を生成する信号発生部と、前記信号発生部により生成されたデジタル音声信号に基づく試験信号の、ＦＭ変調された信号またはＡＭ変調された信号を出力する送信機への入力に応じて、前記送信機から出力された信号が直交復調された直交復調データに基づき、前記送信機の特性測定を行い、測定結果を出力する測定処理部と、を備え、前記信号発生部および前記測定処理部が、同じ第１のコンピュータ上に実装された測定装置にネットワークを介して接続された第２のコンピュータに、
前記第２のコンピュータに対する操作入力により、前記デジタル音声信号、および、前記特性測定の測定条件を制御する手動測定と、前記送信機に対して予め定められた測定項目の測定を前記第１のコンピュータに自動的に行わせる自動測定とを切り替える処理を実行させる。